(57)【要約】【課題】施工現場で左右の縦枠を取り付けた後に上枠を取り付けて枠組みする建具枠を簡単に短時間に枠組みできるようにした建具とする。【解決手段】左右の縦枠１０は上枠２０が嵌合する内向凹部１４を有し、左右の縦枠１０の上部に縦枠キャップ５を上下方向に移動可能に取り付け、左右の縦枠１０の内向凹部１４に上枠２０を嵌合し、その状態で上枠２０を上方に移動すると縦枠キャップ５と当接して上枠２０とともに縦枠キャップ５が上方に移動するようにし、上枠２０を取付枠４の上枠材４１に固着具で固着して建具枠（窓枠３ａ）を枠組みすることで、建具枠を簡単に短時間に枠組みできるようにする。【選択図】図９
2015034425.tif 000002
【特許請求の範囲】
【請求項１】
左右の縦枠の上部間に渡って上枠を取り付けた建具枠を有した建具であって、
前記左右の縦枠は、互いに対向するよう内側に開口し、上枠の長手方向端部が上下方向に移動可能な内向凹部を有し、
前記左右の縦枠の上部に、当該縦枠の室内側面及び室外側面の上部を覆う縦枠キャップを、移動可能に取り付け、
前記上枠は、建具枠を取り付けるための、少なくとも縦内面、上内面を有する取付開口部の縦内面に固着して取り付けた左右の縦枠の内向凹部に、上下方向に移動できるように取り付け可能で、かつ上方に移動することで縦枠キャップと干渉して縦枠キャップとともに上方に移動可能とし、
前記上枠を取付開口部の上内面に固着具で固着して取り付けることで建具枠としたことを特徴とする建具。
【請求項２】
前記縦枠キャップは、上枠支持部を有し、
前記上枠支持部は常時上枠を落下しないように支持する支持姿勢で、上枠を縦枠の内向凹部に沿って下から上に移動することで、当該上枠が上枠支持部に接し、その上枠支持部を支持解放姿勢に変位し、かつ上枠が上枠支持部よりも上方に移動すると上枠支持部が支持姿勢に復帰するようにした請求項１記載の建具。
【請求項３】
前記縦枠の内向凹部の底面に、長手方向に連続し内向凹部と同じ内側に開口した凹陥部を有し、
前記縦枠キャップは、前記凹陥部に上下方向に移動可能な取付部を有し、
前記取付部に上枠支持部を当該取付部を縦枠の凹陥部に取り付けた状態で、上枠支持部が内向凹部の底面よりも内側に突出して設けた請求項２記載の建具。
【請求項４】
前記縦枠キャップは、上枠の上部が当接する上枠当接部を有し、
上枠が縦枠の内向凹部に沿って上方に移動することで、上枠の上部が上枠当接部と当接し、上枠とともに縦枠キャップが上方に移動するようにした請求項１〜３いずれか１項記載の建具。
【請求項５】
前記上枠の上面に、縦枠キャップの上枠当接部が嵌まり込む凹溝を形成し、
前記上枠当接部が上枠の上面から上方に突出することがないようにした請求項４記載の建具。
【発明の詳細な説明】
【技術分野】
【０００１】
本発明は、二重窓の内窓や間仕切り等の建具、詳しくは、施工現場で縦枠を取り付けた後に上枠を縦枠に取り付けて建具枠を枠組みする建具に関する。
【背景技術】
【０００２】
通常の建具は、建具枠を枠組みした状態で取付開口部に取り付けするが、二重窓の内窓などの建具では、施工現場において取付開口部に左右の縦枠を取り付け、その後に上枠、下枠を左右の縦枠に取り付けて建具枠を枠組みすることがある。
例えば、特許文献１に開示したように、左右の縦枠を取り付けた後に、一方の縦枠の開口部に上枠の一側端部を飲み込ませるように一旦挿入し、上枠の他側端部を持ち上げてスライド移動させることによって他方の縦枠の開口部に挿入して上枠を縦枠に取り付けるようにして建具枠を枠組みする建具が提案されている。
【先行技術文献】
【特許文献】
【０００３】
【特許文献１】特許第３５２５８３４号公報
【発明の概要】
【発明が解決しようとする課題】
【０００４】
前述のようにして上枠を縦枠に取り付けて建具枠を枠組みするには、縦枠に上枠の端部が挿入する開口部を加工する必要があり、縦枠の加工が面倒である。
また、縦枠に上枠を取り付けるには、上枠を斜めにして一方の縦枠の開口部に挿入する第１の動作と、斜めの上枠を水平とする第２の動作と、水平とした上枠を移動して他方の縦枠の開口部に挿入する第３の動作との３つの動作が必要で、第３の動作は一方の縦枠の開口部から上枠が抜けないように注意深く行うために、建具枠を枠組みする作業が大変面倒で、時間がかかってしまう。
【０００５】
本発明の目的は、施工現場において取付開口部に縦枠を取り付け、その後に上枠を縦枠に取り付けるようにして建具枠を簡単に短時間に枠組みできると共に、縦枠、上枠に枠組みのための加工をする必要がないようにした建具とすることである。
【課題を解決するための手段】
【０００６】
本発明の建具は、左右の縦枠の上部間に渡って上枠を取り付けた建具枠を有した建具であって、
前記左右の縦枠は、互いに対向するよう内側に開口し、上枠の長手方向端部が上下方向に移動可能な内向凹部を有し、
前記左右の縦枠の上部に、当該縦枠の室内側面及び室外側面の上部を覆う縦枠キャップを、移動可能に取り付け、
前記上枠は、建具枠を取り付けるための、少なくとも縦内面、上内面を有する取付開口部の縦内面に固着して取り付けた左右の縦枠の内向凹部に、上下方向に移動できるように取り付け可能で、かつ上方に移動することで縦枠キャップと干渉して縦枠キャップとともに上方に移動可能とし、
前記上枠を取付開口部の上内面に固着具で固着して取り付けることで建具枠としたことを特徴とする建具である。
【０００７】
本発明の建具は、前記縦枠キャップは、上枠支持部を有し、
前記上枠支持部は常時上枠を落下しないように支持する支持姿勢で、上枠を縦枠の内向凹部に沿って下から上に移動することで、当該上枠が上枠支持部に接し、その上枠支持部を支持解放姿勢に変位し、かつ上枠が上枠支持部よりも上方に移動すると上枠支持部が支持姿勢に復帰するようにすることができる。
このようにすれば、上枠を縦枠の内向凹部に沿って上方に移動することで、上枠が上枠支持部と接して支持解放姿勢に変位し、上枠が上枠支持部よりも上方に移動すると上枠支持部は支持姿勢に復帰して上枠の落下を防止するので、上枠を取付開口部の上内面に固着具で固着して取り付ける際に、上枠を手で押さえる必要がなく、上枠を簡単に上内面に取り付けできる。
【０００８】
本発明の建具は、前記縦枠の内向凹部の底面に、長手方向に連続し内向凹部と同じ内側に開口した凹陥部を有し、
前記縦枠キャップは、前記凹陥部に上下方向に移動可能な取付部を有し、
前記取付部に上枠支持部を当該取付部を縦枠の凹陥部に取り付けた状態で、上枠支持部が内向凹部の底面よりも内側に突出するようにできる。
このようにすれば、取付部を凹陥部に嵌合することで縦枠キャップを縦枠に簡単に取り付けできると共に、上枠支持部を上枠側に突出して上枠を落下しないように支持できる。
【０００９】
本発明の建具は、前記縦枠キャップは、上枠の上部が当接する上枠当接部を有し、
上枠が縦枠の内向凹部に沿って上方に移動することで、上枠の上部が上枠当接部と当接し、上枠とともに縦枠キャップが上方に移動するようにできる。
このようにすれば、上枠とともに縦枠キャップを確実に上方に移動することができる。
【００１０】
本発明の建具は、前記上枠の上面に、縦枠キャップの上枠当接部が嵌まり込む凹溝を形成し、
前記上枠当接部が上枠の上面から上方に突出することがないようにできる。
このようにすれば、上枠と縦枠キャップを取付開口部の上内面に接して取り付けることが可能で、縦枠キャップ、上枠と取付開口部の上内面との間に隙間が生じることがないようにできる。
【発明の効果】
【００１１】
本発明によれば、施工現場において取付開口部の縦内面に縦枠を取り付け、その後に上枠を縦枠の内向凹部に嵌合して上方に移動して縦枠キャップとともに取付開口部の上内面に固着具で固着して取り付けできるので、建具枠を簡単に短時間に枠組みできる。
また、縦枠と上枠のコーナー部に生じた隙間は縦枠キャップで隠されるので、外観の見栄えが良い。
また、縦枠、上枠に枠組みのための加工をする必要がない。
【図面の簡単な説明】
【００１２】
【図１】本発明の実施の形態を示す二重窓の縦断面図である。
【図２】本発明の実施の形態を示す二重窓の横断面図である。
【図３】内窓の窓枠の内観図である。
【図４】図３のＡ−Ａ断面図である。
【図５】図３のＢ−Ｂ断面図である。
【図６】上枠の取付動作説明図である。
【図７】上枠の取付動作説明図である。
【図８】上枠の取付動作説明図である。
【図９】下枠の取付説明図である。
【図１０】縦枠と縦枠キャップの斜視図である。
【図１１】縦枠に縦枠キャップと上枠を取り付けた状態の斜視図である。
【図１２】上枠が上枠支持部と干渉した状態の内観図である。
【図１３】上枠が上枠支持部で支持されている状態の内観図である。
【図１４】上枠を上枠材に取り付けた状態の縦断面図である。
【図１５】上枠が縦枠キャップに接した状態の斜視図である。
【発明を実施するための形態】
【００１３】
図１及び図２は、二重窓の縦断面図、横断面図で、建物躯体１の開口部１ａの室外側寄りに取り付けた外窓２と、室内側寄りに取り付けた内窓３とで二重窓としてある。
外窓２は、アルミ合金製の窓枠２ａにアルミ合金製の障子２ｂを引き違いに装着した引き違い窓である。
内窓３は、アルミ合金製の窓枠３ａにアルミ合金製の障子３ｂを引き違いに装着した引き違い窓である。
この内窓３が本発明の建具で、窓枠３ａが建具枠、障子３ｂが建具体である。
【００１４】
建物躯体１の開口部１ａの室内側寄りに取付枠４を取り付け、この取付枠４に内窓３の窓枠３ａが取り付けてある。
窓枠３ａは左右の縦枠１０，１０と、上枠２０と、下枠３０とを枠組みしてある。
取付枠４は、左右の縦枠材４０，４０と、上枠材４１と、下枠材４２を方形状に連結してある。
【００１５】
窓枠３ａの左右の縦枠１０，１０が左右の縦枠材４０にビス等の固着具４３で固着して取り付けてある。上枠２０が上枠材４１にビス等の固着具４４で固着して取り付けてあり、下枠３０は下枠材４２にビス等の固着具４５で固着して取り付けてある。
取付枠４が本発明の取付開口部で、縦枠材４０が縦内面、上枠材４１が上内面、下枠材４２が下内面である。
【００１６】
次に、内窓３の窓枠３ａについて説明する。
図３及び図４に示すように、左右の縦枠１０は、本体部１１と、本体部１１の室内側端と室外側端とに設けた見付け方向の内側である互いに対向するよう内側に向かう室内側内向部１２、室外側内向部１３とで見付け方向の内側に開口した上・下枠取付用の内向凹部１４を有している。
本体部１１の見付け方向の内側の内側面１１ａ、つまり内向凹部１４の底面１４ａは、見込み方向に渡って略平坦面である。
本体部１１の見込み方向両側寄りに一対の凹陥部１５を有していると共に、見込み方向中間に凹溝１６を有している。
凹陥部１５は見付け方向の内側である内向凹部１４と同じ内側に向けて開口し、かつ長手方向に連続し、開口縁には見込み方向に向かう突出片１５ａを有して開口縁の見付け寸法が小さくなっている。つまり、あり溝形状である。
凹溝１６は見付け方向の外側に向けて開口し、かつ長手方向に連続している。
なお、見付け方向の外側とは縦枠４０に取り付ける側で、見付け方向の内側とは縦枠４０に取り付ける側と反対側で、左右の縦枠１０の内向凹部１４は相対向する。
【００１７】
図３及び図５に示すように、上枠２０は本体部２１と、本体部２１の室内側端と室外側端とに設けた見付け方向の内側に向かう室内側内向部２２、室外側内向部２３を有し、室内側内向部２２と室外側内向部２３との間の寸法、つまり見込み寸法は、縦枠１０の内向凹部１４の見込み方向の開口寸法とほぼ同一である。
本体部２１には障子ガイド２４が見付け方向の内側に向けて設けてあると共に、見付け方向の外側に向けて開口した凹溝２５を有している。
上枠２０は、長手方向端部が縦枠１０の内向凹部１４に上下方向に移動できるように取付け可能である。
この実施の形態では上下方向に移動可能で、かつ見込み方向には動かないように嵌合して取り付けてある。
【００１８】
下枠３０は、図３及び図５に示すように、上枠２０と同様に本体部３１と室内側内向部３２、室外側内向部３３を有し、本体部３１に障子ガイドレール３４が設けてある。
下枠３０は、長手方向端部が縦枠１０の内向凹部１４に上下方向に移動可能で、かつ見込み方向には動かないように嵌合して取り付けてある。
【００１９】
縦枠１０の上端部（長手方向一端部）に縦枠キャップ５が上下方向（長手方向）に移動可能で、縦枠１０の室内側内向部１２、室外側外向部１３の上部、つまり縦枠１０の室内側面、室外側面の上部を覆うように取り付けてある。
縦枠キャップ５は縦枠１０の室内側内向部１２の見付け方向の内側面１２ａ及び室外側内向部１３の見付け方向の内側面１３ａよりも内側に突出し、上枠２０の室内側内向部２２、室外側内向部２３の長手方向端部、つまり上枠２０の室内側面、室外側面の長手方向端部を覆うようにしてある。
縦枠キャップ５は上枠２０と当接し、上枠２０を縦枠１０に沿って上方に移動することで縦枠キャップ５は縦枠１０に沿って上枠２０とともに上方に移動するようにしてある。
【００２０】
次に、内窓３の窓枠３ａを取付枠４内に取り付ける動作を説明する。
図６に示すように、左右の縦枠材４０に左右の縦枠１０を、その下端面が下枠材４２に接し、かつ内向凹部１４が相対向するように接し、固着具４３で固着して取り付ける。
縦枠キャップ５は縦枠１０の上端部にあらかじめ取り付ける。なお、縦枠１０を縦枠材４０に取り付けた後に縦枠キャップ５を取り付けても良い。
【００２１】
上枠２０を水平に対して斜めとすることで、上枠２０の長手方向両端を左右の縦枠１０の室内側内向部１２の内側面１２ａを越えて内向凹部１４と相対向し、その状態で上枠２０を水平として図７に示すように、長手方向両端部を左右の縦枠１０の内向凹部１４内に嵌合する。
そして、上枠２０を縦枠１０の内向凹部１４に沿って上方に移動し、縦枠キャップ５と干渉したら縦枠キャップ５とともにさらに上方に移動して図８に示すように、上枠２０を取付枠４の上枠材４１に接する。
この状態で上枠２０を上枠材４１に固着具４４で固着して取り付ける。
【００２２】
図９に示すように、下枠３０を上枠２０と同様にして取付枠４の下枠材４２に接して固着具４５で固着して取り付ける。
【００２３】
このように、左右の縦枠材４０に固着して取り付けた左右の縦枠１０の内向凹部１４に上枠２０、下枠３０を嵌め込み、上方及び下方に移動して上枠材４１、下枠材４２に固着することで窓枠３ａを枠組みするので、簡単で短時間に枠組みできる。
【００２４】
また、縦枠１０の長さ（長手方向寸法）が縦枠材４０の長さ（長手方向寸法）よりも短い場合でも、上枠２０を上枠材４１に接して取り付けでき、上枠材４１と上枠２０との間に隙間が生じることがない。
つまり、施工現場において取付枠４の上枠材４１と下枠材４２との間の寸法（取付開口部の上下方向寸法）を測定（採寸）し、縦枠１０をその寸法に合わせた長さに切断するが、測定誤差や切断長さの誤差のために縦枠１０が上枠材４１、下枠材４２と干渉して縦枠材４０に取り付けできないことがあるので、縦枠１０を測定した寸法よりも短い長さに切断して上枠材４１、下枠材４２と干渉せずに縦枠１０を縦枠材４０に取り付けできるようにするので、前述のように上枠２０を縦枠１０の内向凹部１４に沿って上方に移動して上枠材４１に上枠２０が接するようにしている。
【００２５】
前述のように上枠２０を縦枠１０の内向凹部１４に沿って上方に移動すると上枠２０が縦枠１０よりも上方に突出し、縦枠１０と上枠２０のコーナー部に隙間が発生するが、縦枠１０の室内側面、室外側面が縦枠キャップ５で覆われていると共に、その縦枠キャップ５に上枠２０の端部が嵌合しているので、縦枠１０と上枠２０のコーナー部に発生した隙間は縦枠キャップ５で覆われて外部から目視されないから、外観の見栄えが良い。
【００２６】
しかも、縦枠１０、上枠２０に枠組みするための加工が不要であるから、加工コストを低くできる。
【００２７】
次に、縦枠キャップ５の詳細を説明する。
図１０に示すように、縦枠キャップ５は、縦枠１０の本体部１１の見込み寸法と同一長さで、本体部１１の見付け寸法と同一幅の主体部５０と、この主体部５０の長手方向両端部に、幅方向一側方に向けて一体的に設けた室内側覆い部５１、室外側覆い部５２とで平面形状が略コ字形状のカバー部５３を有している。
カバー部５３の主体部５０の長手方向両側寄りの下面には一対の取付部５４が下向きに設けると共に、主体部５０の長手方向中間の下面には中間取付部５５が下向きに設けてある。
カバー部５３の主体部５０の幅方向一側面には、幅方向一側方に向かう上枠当接部５６が長手方向に間隔を置いて一対設けてある。
【００２８】
縦枠キャップ５は図１１に示すように、室内側覆い部５１が縦枠１０の室内側内向部１２の室内側面（表面）に接し、室外側覆い部５２が縦枠１０の室外側内向部１３の室外側面（表面）に接すると共に、取付部５４が縦枠１０の凹陥部１５に嵌合し、中間取付部５５が縦枠１０の凹溝１６に嵌合するようにして縦枠１０の上端部に見込み方向及び見付け方向に動かずに上下方向に移動可能に取り付けられる。
【００２９】
取付部５４には、上枠２０が落下しないように支持する上枠支持部５７が設けてある。この上枠支持部５７は取付部５４の幅方向一側面よりも一側方に突出した支持姿勢に保持してあると共に、外力が負荷することで取付部５４の幅方向一側面よりも他側方の支持解放姿勢に弾性変形し、その外力がなくなることで支持姿勢に弾性復帰する。
【００３０】
例えば、取付部５４の幅方向一側板５４ａに開口部５８を形成し、この開口部５８の下端開口面５８ａに略くの字形状の上枠支持部５７の下端を、上向きで、その上端部５７ａが幅方向一側板５４ａよりも幅方向一側方に突出した支持姿勢となるように一体に設ける。
上端部５７ａに幅方向他側方に向かう外力が負荷すると弾性変形して上端部５７ａが幅方向一側面５４ａと面一の支持解放姿勢となる。
【００３１】
図１１に示すように、縦枠キャップ５の上枠支持部５７は上枠当接部５６よりも下方に位置し、上枠２０を縦枠１０の内向凹部１４に嵌合した状態で、上枠支持部５７（上端部５７ａ）は上枠２０の本体部２１の上面２１ａと対向している。
これにより、図１１に示す状態から上枠２０を縦枠１０の内向凹部１４に沿って上方に移動することで、図１２に示すように、上枠２０の本体部２１の上面２１ａが上枠支持部５７と接して上枠支持部５７に外力が負荷し、支持解放姿勢に弾性変形する。
そして、上枠２０の本体部２１が上枠支持部５７を超えて上方に移動すると、図１３に示すように上枠支持部５７が支持姿勢に復帰し、本体部２１の下面２１ｂが上枠支持部５７と対向し、上枠２０から手を離すことで本体部２１の下面２１ｂが上枠支持部５７に接し、上枠２０を落下しないように支持する。
【００３２】
このようであるから、図１４に示すように上枠２０を取付枠４の上枠材４１に固着具４４で固着して取り付ける際に、上枠２０を手で支える必要がないので、その固着具４４による固着作業を容易にできる。
【００３３】
図１１に示すように、縦枠キャップ５の上枠当接部５６は、上枠２０を縦枠１０の内向凹部１４に嵌合した状態で、上枠２０の本体部２１の凹溝２５の真上に位置する。
これにより、図１３に示すように上枠支持部材５７で支持されている上枠２０を縦枠１０の内向凹部１４に沿って上方に移動することで、上枠２０を縦枠１０の内向凹部１４に沿って上方に移動することで、上枠２０の凹溝２５に上枠当接部５６が嵌まり込み、上枠２０をさらに上方に移動すると図１５に示すように、凹溝２５の底面２５ａが上枠当接部５６の下面５６ａに接して上枠２０とともに縦枠キャップ５が上方に移動する。
【００３４】
上枠２０とともに縦枠キャップ５が上方に移動する状態では、図１４に示すように、上枠２０の上面２０ａと縦枠キャップ５の上面５ａは面一である。
【００３５】
このようであるから、図１４に示すように、上枠２０を固着具４４で取付枠４の上枠材４１に固着して取り付けた状態で、縦枠キャップ５の上面５ａが上枠材４１に接し、上枠材４１と縦枠キャップ５との間に隙間が生じないので、見栄えが良い。
【００３６】
前述の実施の形態は二重窓の内窓３の窓枠３ａについてであるが、他の窓枠などの建具枠とすることもできる。
例えば、間仕切りのように、左右の柱と天井と床で取付開口部とし、その左右の柱に縦枠１０を取り付け、その左右の縦枠１０に上枠３０を取り付けて窓枠とする場合にも、前述のようにして枠組みできる。
この場合には、下枠３０を用いないことがある。つまり、取付開口部は少なくとも縦内面と上内面を有すれば良い。
また、前述の実施の形態の内窓３は、アルミ合金製としたが樹脂製や、アルミ合金と樹脂の複合としても良い。
【符号の説明】
【００３７】
３…内窓（建具）、３ａ…窓枠（建具枠）、４…取付枠（取付開口部）、５…縦枠キャップ、１０…縦枠、１４…内向凹部、２０…上枠、２５…凹溝、３０…下枠、４０…縦枠材（縦内面）、４１…上枠材（上内面）、４２…下枠材（下内面）、５４…取付部、５６…上枠当接部、５７…上枠支持部。
【図１】
2015034425.tif 000003
【図２】
2015034425.tif 000004
【図３】
2015034425.tif 000005
【図４】
2015034425.tif 000006
【図５】
2015034425.tif 000007
【図６】
2015034425.tif 000008
【図７】
2015034425.tif 000009
【図８】
2015034425.tif 000010
【図９】
2015034425.tif 000011
【図１０】
2015034425.tif 000012
【図１１】
2015034425.tif 000013
【図１２】
2015034425.tif 000014
【図１３】
2015034425.tif 000015
【図１４】
2015034425.tif 000016
【図１５】
2015034425.tif 000017